(57)【特許請求の範囲】
【請求項１】
両側に台車用車輪を備えた台座の四隅に支柱受けを立てると共に台座の支柱受けの内側に固定の農産物収穫箱収納棚を形成し、上記の四隅の支柱受けには夫々支柱を差込み連結し、これら四隅の支柱に沿って可動の農産物収穫箱収納棚を上下位置調節可能に１段もしくは多段に段設し、上記可動の農産物収穫箱収納棚の少くとも1つの前後には農産物台車手押し用把手を設け、上段の中抜きの可動の収穫箱収納棚を前後方向に下降傾斜したテーパー棚とし、このテーパー棚と下段の中抜き可動の収穫箱収納棚とを、四隅部の支柱に上下動可能に差込みうる支柱受けにより結合した一体構造としたことを特徴とする高設栽培用に適したアルミ製の多目的農業用台車。
【請求項２】
水平の中抜き形状の可動の農産物収穫箱収納棚の１段もしくは２段と、上段のテーパー付き中抜き可動の農産物収穫箱収納棚および下段の中抜き可動の農産物収穫箱収納棚を一体構造とした結合体とを互換可能に四隅の支柱に取付ける請求項１記載の台車。
【請求項３】
上段のテーパー棚の前後に農産物台車手押し用把手を設けた請求項１または２記載の台車。
【請求項４】
上段のテーパー棚の下降端部に収穫箱滑り落ち防止用ストッパーを有する請求項１から３までのいずれか１項記載の台車。
【請求項５】
農産物収穫箱収納棚の両側は、農産物収穫箱の両側下隅部を滑動自在に案内する１対の相対向するＬ型レール部材で構成され、Ｌ型レール部材の農産物収穫箱の下隅部下面を受けるレール水平面は表面に長手方向多数の平行溝を有する台形状に形成されている請求項１から４までのいずれか１項記載の台車。
【発明の詳細な説明】
【０００１】
【発明の属する技術分野】
本発明は高設栽培用イチゴの収穫に適したイチゴ台車その他の多目的農業用作業台車に関するものである。
【０００２】
【従来の技術】
イチゴは畝栽培等地面近くで成長しその栽培、収穫作業はしゃがんですることが多く腰痛などになり易かった。そこでイチゴ栽培の重労働を軽減するために培地をパイプなどで人の胸の高さまで上げて収穫の際にかがまなくても収穫ができる高設栽培が急速に普及している。
【０００３】
この高設栽培のイチゴを効率よく採取し、又ジャム等に用いられる不良品イチゴを区分収穫し、更にイチゴ病害の原因となる枯葉等を回収廃棄する機能を備えた高設栽培用に適したイチゴ台車等の多目的農産物用作業台車の出現が望まれていた。
【０００４】
【発明が解決しようとする課題】
本発明はかかる要望に沿ってなされたもので、農産物作業用台車上に農産物収穫箱を滑動自在に出入できる収納棚を支柱を通して上下に位置調整可能に段設して、上段の収納棚には出荷用収穫農産物を収納する農産物収穫箱を、下段の収納棚には加工品製造用とされる収穫不良品農産物を収納する農産物収穫棚を夫々セットできるようにし、又上段の収納棚の前後には農産物台車手押用の把手を取付け、温室内で高設栽培棚間を腰をかがめることなく立ったまま自由に手押し移動できるようにして高設栽培の農産物の収穫に適合させ果物、野菜等の農産物の収穫効率の向上、作業者の作業環境の向上を図りもっての所期の目的を改めたものである。
【０００５】
【課題を解決するための手段】
本発明では上下段の可動の収納棚を上段は前後方向に降り勾配を付けたテーパー付きとし下段は水平として、支柱に差込む支柱受けで上下段を一体的に結合したものを用意し、この上下段一体ものと上下段夫々水平の別体物とを必要に応じ互換自在に使用できるようにしている。
【０００６】
更に又本発明では上下段の可動の収納棚を夫々中抜き形状として農産物枯葉その他の廃棄物を収容するための編状、シート状の袋体を可動の収納棚の中抜き部を通して下方に吊設し、その袋体の上端開口縁を支柱の頂部に着脱可能に取付ける上部枠にクリップその他の任意の手段で着脱自在に取付けて、農産物枯葉その他の廃棄物の回収作業も同一台車で実行できるようにしている。
【０００７】
本発明の農産物台車の基本構造は両側に台車用車輪を備えた台座の四隅に、支柱受けを植立すると共にこれらの支柱受けの前後方向内側に１対のＬ型レール部材を相対向させて農産物収穫箱を一段もしくは積戸多段に収納できる固定の収納棚を構成し、上記の四隅の支柱受けに夫々立てた支柱に沿って一段もしくは多段に可動の農産物収穫箱収納棚を上下位置調節可能にセットすることにある。
【０００８】
本発明の可動の農産物収穫箱収納棚はアルミニウムないしはアルミニウム合金製であって、前後1対の角筒状の横桟の両側に夫々角筒状の支柱受けとしての縦筒を固定し前後の横桟の縦筒の各内側上に沿ってＬ型のレール部材を前後方向に通してレール部材を縦筒と固定し、各縦筒の前後外向き面に縦筒内に差込んで通す支柱と着脱可能に固定するためのビス締付けねじが取付けられている。
【０００９】
上記のＬ型レール部材は農産物収穫箱の両側下隅部の側面を案内するレール側面材と農産物収穫箱の両側下隅部の下面を案内するレール水平面材とからなっているが、レール側面は横薄の角筒形状であり、その下端１側よりレール水平面が一体的に延びている。
【００１０】
レール水平面は中央部が高く両側部が裾状に下降している台形の断面形状をもっており、Ｌ型レール部材の案内面には長手方向の多数の平行細溝を形成し、農産物収穫箱を前後方向に滑動案内するようにしている。
【００１１】
収納棚に台車手押し用把手を付ける場合には横桟の前後面に夫々左右に跨るコ字型に屈曲したパイプ材をレール部材の側面材の下面に固定して取付ける。台車手押し用把手を構成するコ字形屈曲パイプ材の表面にはその全周に長手方向に延びる多数の平行細溝が付けられ、手押し時の滑り止めの役目をする。
【００１２】
本発明の固定の農産物収穫箱収納棚は車輪の取付けを除いては基本的には可動の収納棚と同一構造であるが、前後の横桟の両端面には車輪を回転自在に取付ける車輪軸が設けられ横桟の両端上には角筒状の支柱受けが植立固定され、この支柱受けの前後外面にはこの支柱受けに差込んで立設する支柱を上下動調節可能に固定するためのビス締付けねじが上下２段に設けられている。又前後の横桟の中央を連結固定する縦桟が設けられ台座兼固定の収納棚の強度を高めると共に前出の農産物枯葉収集用の袋の下部を受けることができるようになっている。
【００１３】
又本発明の可動の収納棚をテーパー付き上段棚と水平の下段棚とを一体構造とする場合には下段の水平棚は前出の可動収納棚と同一構成とし上段のテーパー付収納棚は前後の横桟を用いずにＬ型のレール部材の側面を下段の水平収納棚を下部に固定した縦筒の上部に固定する。これら支柱受けとしての縦筒は上段テーパー収納棚のテーパー上昇端部側のものは長く、テーパー下降端部側のものは短くしてある。そして上段テーパー収納棚のテーパー方向前後両端にはレール部材の端部に前出と同様にしてコ字状屈曲パイプ材よりなる把手が高低差を付けて固定されている。
【００１４】
又テーパー収納棚のテーパー下降端部にはレール部材端部に板状のストッパーが取付けられ収穫箱が滑り落ちるのを防止している。又対応する下段の水平棚の後方端部にもストッパーが設けられている。又本発明の支柱頂部に取付けるべき上部枠は支柱上部に差込む支柱受けとしての角筒状の縦短筒をパイプ材の縦桟および横桟で連結した構造で同パイプ材の表面には長手方向の多数の平行細溝が設けられ袋体の開口縁をクリップ止めするときの滑り止め防止を機能する。
又これら縦短筒の前後外面にはこれを支柱に着脱自在に固定するためのビス締付けねじが設けられている。
【００１５】
上記の台座兼固定の収納棚、可動の収納棚（縦桟、横桟、レール部材把手部材）、支柱、支柱受け（縦筒）等の農産物台車構成部品はすべてアルミニウム又はアルミニウム合金を押出成型して作られこの押出成型時に表面に長手方向に延びる平行細溝が同時に形成される。
【００１６】
以下に本発明を高設栽培用イチゴ台車に適用した実施例によって説明するが、本発明はこれによって、何ら限定されるものではない。
【００１７】
【実施例】
図1は台車の基本構成を示し、アルミニウムまたはアルミニウム合金製（以下単にアルミ製という）台座（１）の両側に夫々前後の車輪（２）が取付けられているが、台座（１）は両端に車輪（２）の車軸を固定した前後桟（５）（５’）と前後桟（５）（５’）の左右両端上に起立固定した角筒状の支柱受け（３）と支柱受け（３）の内側に沿って前後桟（２）（２'）に架け渡した左右の相対向するレール部材（４）（４）と前後桟（５）（５'）間を連結している中間桟（６）とからなっていて、四隅の角筒状の支柱受け（３）には夫々アルミ製の角柱状の支柱（７）が上下方向伸縮可能に差込み連結され上下２段のビスねじ止め（８）で固定するようになっている。これらアルミ製の前後桟（５）（５'）、支柱受け（３）、レール部材（４）、中間桟（６）、支柱（７）の表面には長手方向に延びる平行溝が設けられている。
【００１８】
レール部材は（４）は、図２に示すように、巾方向に扁平な角筒状の垂直部材（９）と垂直部材（９）の下端より一体的に延びる水平部材（１０）からなっていて水平部材（１０）は水平な頂面部（１０-１）と左右のなだらかな裾部（１０-２）からなっていて、左右の相対向する水平部材（１０）の各頂面部（１０-１）上に図３に示すイチゴ収穫箱（１１）の底面を受けると共に左右の相対向する垂直部材（９）によってイチゴ収穫箱（１１）の両側面を案内する。
【００１９】
図４および図５は支柱（７）に上方から差込み連結されるアルミ製の上段の収納棚（１２）および下段の収納棚（１３）を示し、上段の収納棚（１２）が両側のレール部材（４）に架け渡した前後手押し用把手（１４）を備えている点で下段の収納棚（１３）と相違する。
【００２０】
これら収納棚（１２）（１３）は前後桟（５）（５'）の両端に角筒状の支柱受け（１５）を夫々固定し、この支柱受け（１５）の内側に沿って両側のレール部材（４）をレール案内面を内側に相対向させて前後桟（５）（５'）に架け渡し固定してある。
【００２１】
図６は図４の上段の収納棚（１２）を前後方向に傾斜したテーパー棚にすると共にこれと下段の収納棚（１３）とを一体化した上下段組合せ結合体でこの場合には上段のテーパー収納棚（１２）と下段の水平収納棚（１３）の支柱受けは上下段共通化して一体化され前方の共通支柱受け（１５-１）は長く、後方の共通支柱受け（１５-２）は短く作られている。尚上段のテーパー収納棚（１２）のレール部材（４）のテーパー下降端部にはストッパー板（１６）が固定され、収納棚（１２）に前方のテーパー上部より収納された収穫箱（１１）が下端より滑り落ちないようにしており、下段の水平収納棚（１３）にも同様のストッパー板（１６）が設けられている。
【００２２】
図７は図１の支柱（７）を立設した台座（１）に図４の上段収納棚（１２）、図５の下段収納棚（１３）および上下段一体の上段テーパー棚（１２）と下段水平収納棚（１３）との組合せ棚（１７）を組付けた使用態様図でありそれらの支柱受け（１５）、（１５-１）、（１５-２）は夫々支柱（７）に通され、適宣高さ位置でビス止めねじ（８）で固定される。
【００２３】
図７では、可動の収納棚として組合せ棚（１７）と下段棚（１３）を用いているが、可動棚は上段棚（１２）と下段棚（１３）との組合せ或いは組合せ棚（１７）のみの使用も可能であり、夫々目的に応じ適宣組合せ使用できる。図７において組合せ棚（１７）の上段テーパー棚には出荷用イチゴ収穫箱を収納し、下段水平棚にはジャム製造用等の不良品イチゴ収穫箱を収納し台座即ち固定の収穫棚（１）には予備の空箱の収穫箱を積み重ね収納しておく。
【００２４】
図８はイチゴ枯葉などの廃棄物の回収目的に適用した例を示し、支柱（７）の頂部に同じくアルミ製の上部枠（１８）を取付け、これに任意の袋体（１９）の上部開口部をクリップ（２０）で固定して台座（１）上に吊設している。図面では、収納棚（１３）（１７）等はこれを取外していいが、これら棚はいずれも中抜き構造となっているので、これらの中抜き部を通して袋体（１９）を吊設できるので、これら棚は取付けたままで袋体（１９）を取付けて作業できることは言うまでもない。
【００２５】
上部枠（１８）は四隅部の支柱受け（２１）が、表面に長手方向多数の細溝を有するパイプ材（２２）で連結固定させた構造である。
【図面の簡単な説明】
【図１】固定収納棚を有する台座に支柱を上下動可能に植立した状態を示す斜視図。
【図２】図４のＡ-Ａ断面図でレール部材（４）の断面を示す。
【図３】収穫箱の斜視図で、収納棚にそれらのレール部材に案内して出入される。
【図４】上段の可動の収穫箱収納棚の斜視図。
【図５】下段の可動の収穫箱収納棚の斜視図。
【図６】上段のテーパー付収穫箱収納棚と下段の水平収穫箱収納棚との可動の収納棚組合せ結合体の斜視図。
【図７】固定の収納棚を備えた台座に可動の収納棚を取付けた状態を示す斜視図。
【図８】枯葉等の廃棄物回収袋を取付けた状態を示す斜視図。
【符号の説明】
１ ：  台座
２ ：  車輪
３ ：  支柱受け
４ ：  レール部材
５ ：  前後桟
５'：  前後桟
６ ：  中間桟
７ ：  支柱
８ ：  ビス止めねじ
９ ：  レール部材の垂直部材
１０ ：  レール部材の水平部材
１１ ：  収穫箱
１２ ：  上段の収穫棚（可動）
１３ ：  下段の収穫棚（可動）
１４ ：  手押し用把手
１５ ：  高低の支柱受け
１６ ：  ストッパー板
１７ ：  上段のテーパー棚と下段の水平棚との組合せ結合体（可動）
１８ ：  上部枠
１９ ：  袋体
２０ ：  クリップ（袋止め用）
２１ ：  支柱受け
２２ ：  パイプ材
【図１】
0004155544.tif 000002
【図２】
0004155544.tif 000003
【図３】
0004155544.tif 000004
【図４】
0004155544.tif 000005
【図５】
0004155544.tif 000006
【図６】
0004155544.tif 000007
【図７】
0004155544.tif 000008
【図８】
0004155544.tif 000009